(57)【要約】【課題】  カメラ機能付き携帯電話機ユーザがテレビ番組を視聴することによりインセンティブを提供し、テレビ番組の視聴率向上に寄与し、携帯電話機ユーザとテレビ放送局の双方にとって有益かつ魅力的なビジネスモデルの展開を可能とし、かつシステム負担も軽減するコンテンツ配信方法及びコンテンツ配信システムを提供すること。【解決手段】  テレビ局装置１００では、番組作成、時間情報生成、画像合成、合成画像放送、応答情報作成及び管理情報作成等を含む情報合成処理が実行される。管理サーバ２００では、データベース作成・管理、時間情報確認、データ検索及び応答情報返信等を含む応答処理が実行される。携帯電話機４００では、合成映像撮影、時間情報抽出、データ検索要求送信及び応答情報表示等を含む情報抽出・表示処理が実行される。【選択図】図７
2007150382.tif 000002
【特許請求の範囲】
【請求項１】
画像配信手段において、少なくとも映像情報と時間情報とを合成した配信映像情報を生成するステップと、
前記配信映像情報を受信再生手段で再生するステップと、
前記受信再生手段で再生されている前記配信映像情報を撮影機能付携帯電話端末で撮像するステップと、
前記撮像画像を前記撮影機能付携帯電話端末からコンテンツサーバに送信するステップと、
前記コンテンツサーバにおいて、前記撮像画像から時間情報を抽出して、当該時間情報と応答情報とが対応付けられているコンテンツデータベースにアクセスするステップと、
前記コンテンツサーバにおいて、前記コンテンツデータベースから前記時間情報に対応付けられた応答情報を読み出して、前記撮影機能付携帯電話端末に返信するステップと、
前記撮影機能付携帯電話端末において、前記コンテンツサーバから返信された前記応答情報を再生するステップと、からなるコンテンツ配信方法。
【請求項２】
画像配信手段において、少なくとも映像情報と時間情報とを合成した配信映像情報を生成するステップと、
前記配信映像情報を受信再生手段で再生するステップと、
前記受信再生手段で再生されている前記配信映像情報を撮影機能付携帯電話端末で撮像するステップと、
前記撮影機能付携帯電話端末において、前記撮影画像から前記時間情報を抽出するステップと、
前記時間情報を前記撮影機能付携帯電話端末からコンテンツサーバに送信するステップと、
前記コンテンツサーバにおいて、前記撮影機能付携帯電話端末から受信した時間情報に基づいて、当該時間情報と応答情報とが対応付けられているコンテンツデータベースにアクセスするステップと、
前記コンテンツサーバにおいて、前記コンテンツデータベースから前記時間情報に対応付けられた応答情報を読み出して、前記撮影機能付携帯電話端末に返信するステップと、
前記撮影機能付携帯電話端末において、前記コンテンツサーバから返信された前記応答情報を再生するステップと、からなるコンテンツ配信方法。
【請求項３】
前記時間情報には、前記配信映像情報を生成した放送局の識別情報が含まれる請求項１又は２記載のコンテンツ配信方法。
【請求項４】
前記応答情報は、前記配信映像情報に関連した画像情報である請求項１又は２記載のコンテンツ配信方法。
【請求項５】
コンテンツ配信局装置と、再生装置と、携帯電話端末と、コンテンツサーバと、から構成されるコンテンツ配信システムであって、
前記コンテンツ配信局装置は、
少なくとも映像情報と時間情報とを合成した配信映像情報を生成する映像合成手段と、
前記配信映像情報を送信する送信手段と、を備え、
前記再生装置は、
前記配信映像情報を受信する受信手段と、
受信した前記配信映像情報を再生する映像再生手段と、を備え、
前記携帯電話端末は、
前記再生装置で再生されている前記配信映像情報を撮像する撮影手段と、
前記撮像画像を前記コンテンツサーバに送信する送信手段と、
前記コンテンツサーバからコンテンツを受信する受信手段と、
受信した前記コンテンツを再生する再生手段と、を備え、
前記コンテンツサーバは、
前記携帯電話端末から前記撮像画像を受信する受信手段と、
受信した前記撮像画像から時間情報を抽出して、当該時間情報と応答情報とが対応付けられているコンテンツデータベースにアクセスし、時間情報に対応付けられた応答情報を読み出すコンテンツ管理手段と、
読み出した前記応答情報を前記携帯電話端末に返信する送信手段と、を備えるコンテンツ配信システム。
【請求項６】
コンテンツ配信局装置と、再生装置と、携帯電話端末と、コンテンツサーバと、から構成されるコンテンツ配信システムであって、
前記コンテンツ配信局装置は、
少なくとも映像情報と時間情報とを合成した配信映像情報を生成する映像合成手段と、
前記配信映像情報を送信する送信手段と、を備え、
前記再生装置は、
前記配信映像情報を受信する受信手段と、
受信した前記配信映像情報を再生する映像再生手段と、を備え、
前記携帯電話端末は、
前記再生装置で再生されている前記配信映像情報を撮像する撮影手段と、
前記撮影画像から前記時間情報を抽出する情報抽出手段と、
抽出した前記時間情報を前記コンテンツサーバに送信する送信手段と、
前記コンテンツサーバからコンテンツを受信する受信手段と、
受信した前記コンテンツを再生する再生手段と、を備え、
前記コンテンツサーバは、
前記携帯電話端末から前記時間情報を受信する受信手段と、
受信した前記時間情報に基づいて、当該時間情報と応答情報とが対応付けられているコンテンツデータベースにアクセスし、時間情報に対応付けられた応答情報を読み出すコンテンツ管理手段と、
読み出した前記応答情報を前記携帯電話端末に返信する送信手段と、を備えるコンテンツ配信システム。
【発明の詳細な説明】
【技術分野】
【０００１】
本発明はコンテンツ配信方法に関し、特に、画像コンテンツを配信するコンテンツ配信方法及びコンテンツ配信システムに関する。
【背景技術】
【０００２】
携帯電話機は、本来の電話機としての機能の他にメール機能やインターネット接続機能等を備えるようになり、その機能の向上に伴って携帯電話ネットワークだけでなくインターネットを介して放送メディアと連携して、携帯電話ユーザに対して新たなサービスを提供するビジネスモデルが多く提案されている。
【０００３】
例えば、特許文献１に記載された携帯電話機を用いたデータ放送サービスでは、携帯電話機から入力された操作内容をインターネット用サーバ及び放送用サーバを経由してテレビ受像器でデータ放送として受信可能にすると共に、テレビ受像器からの要求に応じてデータ放送番組の内容に反映可能としている。
【０００４】
また、特許文献２に記載された通信システムでは、多重化された放送波により報知されるインターネット上のリソースを放送受信機で抽出し、この抽出したリソース情報を携帯電話機に転送し、携帯電話機では、転送されたリソース情報に基づいて携帯電話通信網経由でインターネット上のリソース情報（ＵＲＬ（Uniform Resource Locator）や電子メールアドレス等）を利用可能にしている。
【特許文献１】特開２００４−４０１６５号公報
【特許文献２】特開２００３−２４４０８２号公報
【発明の開示】
【発明が解決しようとする課題】
【０００５】
しかしながら、上記特許文献１の携帯電話機を用いたデータ放送サービスでは、携帯電話機とテレビ受像器の双方向でデータ放送を利用可能にするサービスを提供可能であるが、テレビ放送本来の番組内容とは連携しておらず、ユーザに対して魅力的なサービスを提供することができない。また、システムとして、インターネット用サーバ及び放送用サーバを設置する必要があり、サービスを提供する企業に対するコスト負担が大きいという問題もある。
【０００６】
また、上記特許文献２の通信システムでは、放送波を利用してインターネット上のリソース情報を携帯電話機で利用可能になるが、やはりテレビ放送本来の番組内容とは連携しておらず、ユーザに対して魅力的なサービスを提供することができない。
【０００７】
さらに、上記各特許文献が実現しようとするサービスでは、テレビ放送本来の目的である視聴率の向上に寄与することができず、テレビ放送局に対しても魅力的なビジネスモデルになっていない。
【０００８】
本発明はかかる点に鑑みてなされたものであり、カメラ機能付き携帯電話機ユーザがテレビ番組を視聴することによりインセンティブを提供し、テレビ番組の視聴率向上に寄与し、携帯電話機ユーザとテレビ放送局の双方にとって有益かつ魅力的なビジネスモデルの展開を可能とし、かつシステム負担も軽減するコンテンツ配信方法及びコンテンツ配信システムを提供することを目的とする。
【課題を解決するための手段】
【０００９】
本発明のコンテンツ配信方法は、画像配信手段において、少なくとも映像情報と時間情報とを合成した配信映像情報を生成するステップと、前記配信映像情報を受信再生手段で再生するステップと、前記受信再生手段で再生されている前記配信映像情報を撮影機能付携帯電話端末で撮像するステップと、前記撮像画像を前記撮影機能付携帯電話端末からコンテンツサーバに送信するステップと、前記コンテンツサーバにおいて、前記撮像画像から時間情報を抽出して、当該時間情報と応答情報とが対応付けられているコンテンツデータベースにアクセスするステップと、前記コンテンツサーバにおいて、前記コンテンツデータベースから前記時間情報に対応付けられた応答情報を読み出して、前記撮影機能付携帯電話端末に返信するステップと、前記撮影機能付携帯電話端末において、前記コンテンツサーバから返信された前記応答情報を再生するステップと、からなる。
【００１０】
この方法によれば、カメラ機能付き携帯電話機ユーザがテレビ番組を視聴して、その映像を撮影してメールで送信することによりインセンティブを提供し、テレビ番組の視聴率向上に寄与し、携帯電話機ユーザとテレビ放送局の双方にとって有益かつ魅力的なビジネスモデルの展開を可能とし、かつシステム負担も軽減するコンテンツ配信方法を提供することができる。
【００１１】
また、本発明のコンテンツ配信方法は、画像配信手段において、少なくとも映像情報と時間情報とを合成した配信映像情報を生成するステップと、前記配信映像情報を受信再生手段で再生するステップと、前記受信再生手段で再生されている前記配信映像情報を撮影機能付携帯電話端末で撮像するステップと、前記撮影機能付携帯電話端末において、前記撮影画像から前記時間情報を抽出するステップと、前記時間情報を前記撮影機能付携帯電話端末からコンテンツサーバに送信するステップと、前記コンテンツサーバにおいて、前記撮影機能付携帯電話端末から受信した時間情報に基づいて、当該時間情報と応答情報とが対応付けられているコンテンツデータベースにアクセスするステップと、前記コンテンツサーバにおいて、前記コンテンツデータベースから前記時間情報に対応付けられた応答情報を読み出して、前記撮影機能付携帯電話端末に返信するステップと、前記撮影機能付携帯電話端末において、前記コンテンツサーバから返信された前記応答情報を再生するステップと、からなる。
【００１２】
この方法によれば、カメラ機能付き携帯電話機ユーザがテレビ番組を視聴して、その映像を撮影してアプリを利用して送信することによりインセンティブを提供し、テレビ番組の視聴率向上に寄与し、携帯電話機ユーザとテレビ放送局の双方にとって有益かつ魅力的なビジネスモデルの展開を可能とし、かつシステム負担も軽減するコンテンツ配信方法を提供することができる。
【００１３】
また、本発明のコンテンツ配信方法は、請求項１又は２記載のコンテンツ配信方法において、前記時間情報には、前記配信映像情報を生成した放送局の識別情報が含まれる。
【００１４】
この方法によれば、時間情報に対応付ける応答情報の管理が容易になる。
【００１５】
また、本発明のコンテンツ配信方法は、請求項１又は２記載のコンテンツ配信方法において、前記応答情報は、前記配信映像情報に関連した画像情報である。
【００１６】
この方法によれば、テレビ番組と関連して画像コンテンツを提供することが可能になり、テレビ番組のリアルタイム視聴をユーザに促すことができ、テレビ局にとって有益なコンテンツ配信サービスを提供することが可能になる。
【００１７】
また、本発明のコンテンツ配信システムは、コンテンツ配信局装置と、再生装置と、携帯電話端末と、コンテンツサーバと、から構成されるコンテンツ配信システムであって、前記コンテンツ配信局装置は、少なくとも映像情報と時間情報とを合成した配信映像情報を生成する映像合成手段と、前記配信映像情報を送信する送信手段と、を備え、前記再生装置は、前記配信映像情報を受信する受信手段と、受信した前記配信映像情報を再生する映像再生手段と、を備え、前記携帯電話端末は、前記再生装置で再生されている前記配信映像情報を撮像する撮影手段と、前記撮像画像を前記コンテンツサーバに送信する送信手段と、前記コンテンツサーバからコンテンツを受信する受信手段と、受信した前記コンテンツを再生する再生手段と、を備え、前記コンテンツサーバは、前記携帯電話端末から前記撮像画像を受信する受信手段と、受信した前記撮像画像から時間情報を抽出して、当該時間情報と応答情報とが対応付けられているコンテンツデータベースにアクセスし、時間情報に対応付けられた応答情報を読み出すコンテンツ管理手段と、読み出した前記応答情報を前記携帯電話端末に返信する送信手段と、を備える。
【００１８】
この構成によれば、カメラ機能付き携帯電話機ユーザがテレビ番組を視聴して、その映像を撮影してメールで送信することによりインセンティブを提供し、テレビ番組の視聴率向上に寄与し、携帯電話機ユーザとテレビ放送局の双方にとって有益かつ魅力的なビジネスモデルの展開を可能とし、かつシステム負担も軽減するコンテンツ配信システムを提供することができる。
【００１９】
また、本発明のコンテンツ配信システムは、コンテンツ配信局装置と、再生装置と、携帯電話端末と、コンテンツサーバと、から構成されるコンテンツ配信システムであって、前記コンテンツ配信局装置は、少なくとも映像情報と時間情報とを合成した配信映像情報を生成する映像合成手段と、前記配信映像情報を送信する送信手段と、を備え、前記再生装置は、前記配信映像情報を受信する受信手段と、受信した前記配信映像情報を再生する映像再生手段と、を備え、前記携帯電話端末は、前記再生装置で再生されている前記配信映像情報を撮像する撮影手段と、前記撮影画像から前記時間情報を抽出する情報抽出手段と、抽出した前記時間情報を前記コンテンツサーバに送信する送信手段と、前記コンテンツサーバからコンテンツを受信する受信手段と、受信した前記コンテンツを再生する再生手段と、を備え、前記コンテンツサーバは、前記携帯電話端末から前記時間情報を受信する受信手段と、受信した前記時間情報に基づいて、当該時間情報と応答情報とが対応付けられているコンテンツデータベースにアクセスし、時間情報に対応付けられた応答情報を読み出すコンテンツ管理手段と、読み出した前記応答情報を前記携帯電話端末に返信する送信手段と、を備える。
【００２０】
この構成によれば、カメラ機能付き携帯電話機ユーザがテレビ番組を視聴して、その映像を撮影してアプリを利用して送信することによりインセンティブを提供し、テレビ番組の視聴率向上に寄与し、携帯電話機ユーザとテレビ放送局の双方にとって有益かつ魅力的なビジネスモデルの展開を可能とし、かつシステム負担も軽減するコンテンツ配信システムを提供することができる。
【発明の効果】
【００２１】
本発明によれば、カメラ機能付き携帯電話機ユーザがテレビ番組を視聴して、その映像を撮影してメールで送信することによりインセンティブを提供し、テレビ番組の視聴率向上に寄与し、携帯電話機ユーザとテレビ放送局の双方にとって有益かつ魅力的なビジネスモデルの展開を可能とし、かつシステム負担も軽減するコンテンツ配信方法及びコンテンツ配信システムを提供することができる。
【発明を実施するための最良の形態】
【００２２】
以下、本発明の実施の形態について図面を参照して詳細に説明する。
【００２３】
（実施の形態１）
【００２４】
図１は、本発明を適用した実施の形態１のコンテンツ配信システムのシステム構成を示す図である。図１において、コンテンツ配信システム１０は、テレビ局装置１００と、管理サーバ２００と、テレビ受像機３００と、携帯電話機４００と、から構成される。
【００２５】
テレビ局装置１００と管理サーバ２００は専用回線Ｌを介して接続され、管理サーバ２００と携帯電話機４００はインターネット５００及び携帯電話網６００を介して接続される。
【００２６】
図２は、テレビ局装置１００の構成を示すブロック図である。図２において、テレビ局装置１００は、制御部１０１と、番組制作部１０２と、映像合成部１０３と、時間情報生成部１０４と、応答情報作成部１０５と、テレビ放送部１０６と、サーバＩ／Ｆ部１０７と、から構成され、各部はバス１１０を介して接続されている。
【００２７】
制御部１０１は、テレビ局装置１００内の各部を制御して、番組制作処理、時間情報生成処理、映像合成処理、応答情報作成処理、テレビ放送処理及びデータ通信処理等を制御する。
【００２８】
番組制作部１０２は、テレビ放送用の番組を作成し、作成した放送用映像を映像合成部１０３に出力する。映像合成部１０３は、番組制作部１０３から入力される放送用映像と、時間情報生成部１０４から入力される時間情報とを、動画用電子透かし技術等を利用して合成する合成処理を実行し、合成した配信映像情報をテレビ放送部１０６に出力する。
【００２９】
時間情報生成部１０４は、放送用映像に合成するための時間情報を生成して、映像合成部１０３及び応答情報作成部１０５に出力する。
【００３０】
応答情報作成部１０５は、放送番組を視聴した携帯電話機ユーザに対して提供するサービスとして、画像等のコンテンツを含む応答情報を作成する応答情報作成処理と、その応答情報を管理する放送局ＩＤと上記時間情報とを組み合わせた管理情報を作成し、応答情報と管理情報をサーバＩ／Ｆ部１０８を介して管理サーバ２００に送信し、管理サーバ２００おいて管理されるデータベースに反映させる処理を実行する。
【００３１】
テレビ放送部１０６は、映像合成部１０３から入力される配信映像情報をテレビ放送によりテレビ受像器３００に向けて放送する放送処理を実行する。
【００３２】
サーバＩ／Ｆ部１０７は、専用回線Ｌと接続し、管理サーバ２００との間でデータ通信を実行するＩ／Ｆ機能を有し、応答情報作成部１０５から入力される管理情報と応答情報を専用回線Ｌを介して管理サーバ２００に送信する。
【００３３】
図３は、管理サーバ２００の構成を示すブロック図である。図２において、管理サーバ２００は、制御部２０１と、データベース管理部２０２と、データベース格納部２０３と、ＩＰ通信部２０４と、テレビ局装置Ｉ／Ｆ部２０５と、から構成され、各部はバス２１０を介して接続されている。
【００３４】
制御部２０１は、管理サーバ２００内の各部を制御して、データベース管理処理、ＩＰ通信処理及びデータ通信処理等を制御する。
【００３５】
データベース管理部２０２は、テレビ局装置１００から受信する応答情報及び管理情報によりデータベース格納部２０３に格納するデータベースを作成・管理するデータベース管理処理を実行するとともに、携帯電話機４００から受信するデータ検索要求に含まれる時間情報に基づいてデータベースから該当する応答情報を検索して携帯電話機４００に返信する応答処理を実行する。
【００３６】
データベース格納部２０３は、上記応答情報及び上記管理情報を対応付けて格納するデータベースを格納する。このデータベースの具体例を図４に示す。図４に示すデータベース２０３ａは、管理情報として、上記テレビ局装置１００のテレビ局ＩＤと上記時間情報を含み、この管理情報に対応付けて複数の応答情報が格納されている。この場合、複数の応答情報は、番組放送時刻からの経過時間（例えば、５分）毎に複数の画像等を設定した応答情報を格納しているものとする。
【００３７】
ＩＰ通信部２０４は、インターネット５００と接続し、インターネット５００を介して携帯電話機４００との間でＩＰデータ通信を実行するＩＰ通信機能を有する。
【００３８】
テレビ局装置Ｉ／Ｆ部２０５は、専用回線Ｌと接続し、テレビ局装置１００との間でデータ通信を実行する機能を有し、テレビ局装置１００から管理情報及び応答情報を受信してデータベース管理部２０２に出力する。
【００３９】
図５は、テレビ受像機３００の構成を示すブロック図である。図５において、テレビ受像機３００は、制御部３０１と、映像再生部３０２と、表示部３０３と、テレビ放送受信部３０４と、から構成され、各部はバス３１０を介して接続されている。
【００４０】
制御部３０１は、テレビ受像器３００内の各部を制御して、テレビ放送受信処理及び受信映像再生・表示処理等を制御する。
【００４１】
映像再生部３０２は、テレビ放送受信部３０４で受信された合成映像（番組映像及び時間情報）を再生して表示部３０３に表示する。表示部３０３は、映像再生部３０２で再生された合成映像（番組映像及び時間情報）を表示する。
【００４２】
テレビ放送受信部３０４は、テレビ局装置１００から放送されるテレビ放送を受信し、その受信した合成映像を映像再生部３０２に出力する。
【００４３】
図６は、携帯電話機４００の構成を示すブロック図である。図６において、携帯電話機４００は、制御部４０１と、入力部４０２と、カメラ部４０３と、表示部４０４と、記憶部４０５と、携帯通信部４０６と、情報抽出部４０７と、コンテンツ再生部４０８と、から構成され、各部はバス４１０を介して接続されている。
【００４４】
制御部４０１は、携帯電話機４００内の各部を制御して、携帯電話処理、撮影処理、データ通信処理及びコンテンツ再生処理等を制御する。
【００４５】
入力部４０２は、テンキー及び各種ファンクションキー等を備え、ユーザによるキー操作に応じたキー入力信号を制御部４０１に出力する。
【００４６】
カメラ部４０３は、図示しない撮像素子及び撮像画像処理回路等から構成され、カメラアプリケーションプログラムにより制御されて、被写体を撮像して撮像画像データを制御部４０１に出力する。また、カメラ部４０３は、テレビ受像器３００に表示された上記合成映像を撮像した場合は、その撮像した合成画像を情報抽出部４０８に出力する。
【００４７】
表示部４０４は、液晶表示パネル等により構成され、制御部４０１から表示信号により、携帯電話操作画面、カメラ操作画面、撮像画像及びコンテンツ画像等を表示する。
【００４８】
記憶部４０５は、制御部４０１において利用されるカメラアプリケーションプログラムやコンテンツ再生プログラム等を記憶すると共に、撮像画像データやコンテンツデータ等を記憶する。
【００４９】
携帯通信部４０６は、携帯電話網６００と無線接続し、携帯電話網６００を介して他の携帯電話機との間で携帯電話通信処理を実行すると共に、携帯電話網６００及びインターネット５００を介して管理サーバ２００との間でデータ通信処理を実行する。また、携帯通信部４０６は、情報抽出部４０７から時間情報が入力されると、その時間情報を含むデータ検索要求を管理サーバ２００に送信し、その検索要求により管理サーバ２００から応答情報を受信して制御部４０１に出力する。
【００５０】
情報抽出部４０７は、カメラ部４０３から合成画像が入力されると、その合成画像に動画透かし技術により含まれる時間情報を抽出し、その時間情報を携帯通信部４０６に出力する。
【００５１】
コンテンツ再生部４０８は、制御部４０１から入力されるコンテンツ、例えば、画像データをコンテンツ再生プログラムにより再生し、その再生画像を表示部４０４に出力して表示させる。
【００５２】
次に、図１のコンテンツ再生システム１０において実行されるコンテンツ配信サービスの概要について、図７を参照して説明する。図７は、コンテンツ再生システム１０の動作概要を示す図である。
【００５３】
図７において、テレビ局装置１００では、番組作成、時間情報生成、画像合成、合成画像放送、応答情報作成及び管理情報作成等を含む情報合成処理が実行される。管理サーバ２００では、データベース作成・管理、時間情報確認、データ検索及び応答情報返信等を含む応答処理が実行される。携帯電話機４００では、合成映像撮影、時間情報抽出、データ検索要求送信及び応答情報表示等を含む情報抽出・表示処理が実行される。
【００５４】
次いで、図７のテレビ局装置１００において実行される情報合成処理について、図８に示すフローチャートを参照して説明する。
【００５５】
図８において、テレビ局装置１００では、番組制作部１０２が放送用番組を制作し（ステップＳ１０１）、その合成用の元映像を映像合成部１０３に入力する（ステップＳ１０２）。次いで、時間情報生成部１０４は、放送用映像に合成するための時間情報を生成し、その時間情報を映像合成部１０３と応答情報作成部１０５に入力する（ステップＳ１０３）。
【００５６】
次いで、映像合成部１０３は、入力された元映像に対して、入力された時間情報を動画像電子化し技術を用いて合成して配信映像情報を作成し、その配信映像情報をテレビ放送部１０６に出力する（ステップＳ１０４）。
【００５７】
次いで、応答情報作成部１０５は、入力された時間情報と、当該装置に予め設定された放送局ＩＤとを組み合わせて管理情報を作成するとともに、放送番組を視聴した携帯電話機ユーザに対して提供するサービスとして、画像等のコンテンツを含む応答情報を作成する応答情報を作成し、その管理情報と応答情報をサーバＩ／Ｆ部１０７から専用回線Ｌを介して管理サーバ２００に送信する（ステップＳ１０５）。
【００５８】
次いで、テレビ放送部１０６は、入力された配信映像情報をテレビ放送によりテレビ受像器３００に向けて放送して（ステップＳ１０６）、本処理を終了する。
【００５９】
次に、図７の管理サーバ２００において実行される応答処理につて、図９に示すフローチャートを参照して説明する。
【００６０】
図９において、管理サーバ２００の制御部２０１は、テレビ局装置Ｉ／Ｆ部２０５によりテレビ局装置１００から送信される管理情報及び応答情報の受信の有無を判別する（ステップＳ２０１）。管理情報及び応答情報を受信すると、制御部２０１は、その受信情報をデータベース管理部２０２に入力して、データベース２０３ａ（図４参照）への反映処理を指示する（ステップＳ２０２）。
【００６１】
ここで、データベース管理部２０２は、入力された管理情報及び応答情報によりデータベース２０３ａを更新する。
【００６２】
以上のステップＳ２０１及びステップＳ２０２が、管理サーバ２００におけるデータベースデータベース作成・管理処理である。続いて、管理サーバ２００は、ステップＳ２０３以降の処理において、携帯電話機４００からのデータ検索要求の受信に伴う応答処理を実行する。
【００６３】
したがって、管理サーバ２００におけるデータ検索要求の受信に伴う応答処理を説明する前に、携帯電話機４００において実行される図７に示した情報抽出・表示処理について、図１０に示すフローチャートを参照して先に説明する。
【００６４】
携帯電話機４００のユーザは、テレビ受像器３００において再生されている合成映像の番組を視聴中に、携帯電話機４００のカメラ機能（カメラアプリ）の起動指示を入力部４０２から入力すると、そのカメラ起動指示信号が制御部４０１に入力される。
【００６５】
図１０において、携帯電話機４００の制御部４０１は、カメラ起動指示信号が入力されると（ステップＳ３０１：ＹＥＳ）、記憶部４０５に記憶されたカメラアプリケーションプログラムを読み出してカメラアプリを立ち上げて、カメラ部４０３による撮影を可能とする（ステップＳ３０２）。
【００６６】
そして、ユーザによる入力部４０２における所定の操作によりテレビ受像器３００の番組映像が撮影されると、カメラ部４０２は、合成映像を撮影して合成映像撮影データを制御部４０１に出力する（ステップＳ３０３）。制御部４０１は、入力された合成映像データから時間情報を抽出可能か否かを判別する（ステップＳ３０４）。
【００６７】
時間情報が抽出可能であれば（ステップＳ３０４：ＹＥＳ）、制御部４０１は、その時間情報を抽出し、当該時間情報の正否を確認し（ステップＳ３０５）当該時間情報が正当であれば（ステップＳ３０５：ＹＥＳ）、当該時間情報を含むデータ検索要求を、携帯通信部４０６から携帯電話網６００及びインターネット５００を介して管理サーバ２００に送信する（ステップＳ３０６）。
【００６８】
ここで、再度、図９のステップＳ２０３に戻る。管理サーバ２００の制御部２０１は、ＩＰ通信部２０４によるデータ検索要求受信の有無を判別し（ステップＳ２０３）、データ検索要求の受信を確認すると（ステップＳ２０３：ＹＥＳ）、そのデータ検索要求をデータベース管理部２０２に転送する。
【００６９】
データベース管理部２０２は、データ検索要求が入力されると、時間情報を抽出して現在時刻を確認し（ステップＳ２０４）、時間情報と現在時刻の時間間隔を計算する（ステップＳ２０５）。例えば、時間情報が「１２：００：００」であり、現在時刻が「１２：０５：３０」であったとすると、時間間隔は「００：０５：３０」となる。
【００７０】
次いで、データベース管理部２０２は、抽出した時間情報に基づいてデータベース格納部２０３に格納されたデータベース２０３ａを検索して（ステップＳ２０６）、時間情報に該当する応答情報の有無を判別する（ステップＳ２０７）。例えば、データベース２０３ａにおいて、「放送局ＩＤ１、時間情報１」の応答情報を検索する。
【００７１】
応答情報が有る場合（ステップＳ２０７：ＹＥＳ）、データベース管理部２０２は、その応答情報の中から計算した時間間隔に該当する応答情報、例えば、応答情報１−１を読み出してＩＰ通信部２０４に出力して、応答情報の返信処理を実行させて（ステップＳ２０８）、本処理を終了する。
【００７２】
ＩＰ通信部２０４は、入力された応答情報をインターネット５００及び携帯電話網６００を介して携帯電話機４００に返信する。
【００７３】
また、データベース管理部２０２は、該当する応答情報が無い場合（ステップＳ２０７：ＮＯ）、応答情報無し通知をＩＰ通信部２０４に出力して（ステップＳ２０９）、本処理を終了する。
【００７４】
ＩＰ通信部２０４は、入力された応答情報無し通知をインターネット５００及び携帯電話網６００を介して携帯電話機４００に返信する。
【００７５】
また、管理サーバ２００の制御部２０１は、ＩＰ通信部２０４によるデータ検索要求の受信が無ければ（ステップＳ２０３：ＮＯ）、本処理を終了する。
【００７６】
ここで、図１０のステップＳ３０７に戻る。携帯電話機４００の制御部４０１は、携帯通信部４０６からの応答情報受信の有無を判別し（ステップＳ３０７）、応答情報を受信すると（ステップＳ３０７：ＹＥＳ）、その応答情報をコンテンツ再生部４０８に出力し、応答情報に基づく画像コンテンツ等のサービス表示処理を実行させて（ステップＳ３０８）、本処理を終了する。
【００７７】
また、制御部４０１は、応答情報ではなく応答情報無し通知を受信すると（ステップＳ３０７：ＮＯ）、その応答情報無し通知に基づく表示信号を表示部４０４に出力して、応答情報無し通知を表示させて（ステップＳ３１０）、本処理を終了する。
【００７８】
また、制御部４０１は、入力された合成映像データから時間情報が抽出不可能であれば（ステップＳ３０４：ＮＯ）、抽出した時間情報の正当性が確認できなければ（ステップＳ３０５：ＮＯ）、カメラ部４０３かに入力された撮影画像を表示部４０４に表示して（ステップＳ３０９）、本処理を終了する。
【００７９】
次に、テレビ局装置１００において作成される応答情報の具体例について説明する。上記のように、応答情報は、放送番組を視聴した携帯電話機ユーザに対してサービスを提供するためのものであり、画像等のコンテンツを含むものである。
【００８０】
例えば、放送番組と連携して提供する画像の具体例として、アイドルが出演する番組を想定する。この場合、番組内のあるシーン毎に上記時間情報が動画電子透かし技術により埋め込まれており、このシーンを携帯電話機４００のカメラで撮影し、その時間情報を含むデータ検索要求が管理サーバ２００に送信される。
【００８１】
管理サーバ２００が管理するデータベース２０３ａには、時間情報を埋め込んだ番組の各シーンに対応した応答情報として、アイドルの水着画像等が予め複数記憶されていて、データ検索要求の受信により、その時間情報に対応する応答情報が携帯電話機４００に返信される。
【００８２】
そして、携帯電話機４００では、応答情報を受信することにより、アイドルの水着画像が表示されて、番組では見ることができない画像を見ることが可能になる。
【００８３】
このように、カメラ付き携帯電話ユーザに対してテレビ番組の視聴と連携して、インセンティブを提供するサービスを展開することにより、ユーザは携帯電話のカメラを用いて番組映像を撮影するだけでという簡単な手順で魅力的なインセンティブを取得することができ、ユーザがテレビ番組を視聴するための動機付けができ、テレビ局に対しても視聴率の向上に繋がるサービスを提供することが可能になる。
【００８４】
また、本サービスを実現する要素技術としては、制作した番組の元映像のシーン毎に時間情報を埋め込むだけなので、その埋め込み処理も自動化し易く、データベースの管理も容易であるため、テレビ局側の負担も軽減できる。また、応答情報の作成は、放送番組と連携してリアルタイムで行う必要はなく、応答情報である上記画像コンテンツを提供する側の要望等を考慮して、後から作成するようにしてもよい。
【００８５】
さらに、携帯電話機４００に表示する応答情報には、単独の画像だけではなく、例えば、特別なコンテンツを提供するサイトへのリンクボタン等を表示させるようにしてもよく、そのサービスにより提供するコンテンツの内容を特に限定するものではない。
【００８６】
さらに、管理サーバ２００では、携帯電話機４００で撮影された番組映像に埋め込まれた時間情報により応答情報を検索する前に、その時間情報と現在時刻との時間間隔を計算して返信する応答情報を選択するようにしているため、以下のようなメリットがある。
【００８７】
最近では、テレビ番組を放送中に視聴せずに、ビデオ等の蓄積型メディアに蓄積してから視聴する視聴スタイルが急増しているが、テレビ局としてはリアルタイムに視聴する視聴スタイルが望ましい。本実施の形態により提供するサービスは、このテレビ局の要望に答えることが可能である。
【００８８】
すなわち、本実施の形態によるサービスを適用することにより、蓄積したテレビ番組から撮影した画像かに抽出した時間情報を管理サーバ２００に送信した場合、管理サーバ２００では、受信した時間情報と現在時刻との時間間隔が計算されるため、当然、リアルタイム視聴に比べて時間間隔が大きくなり、価値の低い応答情報を携帯電話機４００に対して返信することが可能になる。
【００８９】
これにより、携帯電話ユーザは、期待したインセンティブを取得できなくなる。したがって、本実施の形態のサービスを展開することにより、ユーザの蓄積型視聴をリアルタイム視聴に移行させることが可能になる。
【００９０】
以上のように、本発明のコンテンツ配信サービスを適用してテレビ番組とカメラ付き携帯電話機を連携したサービスを提供することにより、テレビ局及び携帯電話ユーザの双方に対して有益なビジネスモデルを実現することが可能になる。また、コンテンツを提供する側のシステムの管理負担も軽減でき、従来よりも低コストで有益なコンテンツ配信サービスを提供することが可能になる。
【００９１】
（実施の形態２）
【００９２】
上記実施の形態１では、携帯電話機のアプリケーションプログラムを利用してコンテンツ配信サービスを提供する場合を示したが、本実施の形態２では、携帯電話機のメール機能を利用してコンテンツ配信サービスを提供する場合を示す。
【００９３】
なお、本実施の形態２のシステム構成、テレビ局装置の構成、管理サーバの構成、テレビ受像機の構成及び携帯電話機の構成は、上記図１〜図６に示したものと同様であるため、その図示及び構成説明は省略する。また、テレビ局装置１００において実行される管理情報の作成処理、応答情報の作成処理及び配信映像情報の作成処理も上記実施の形態１と同様であるため、その図示及び動作説明は省略する。
【００９４】
但し、本実施の形態２では、管理サーバ２００において管理されるデータベース２０３ａに格納される応答情報には、画像等のコンテンツではなく、コンテンツを提供するサイトのＵＲＬやアドレス等のリンク情報が設定されるものとする。
【００９５】
図１１は、管理サーバ２００において実行される応答処理を示すフローチャートである。なお、図１１に示すフローチャートにおいて、上記図９に示したフローチャートと同様の処理については、同一のステップ番号ステップＳ２０１〜Ｓ２０３、ステップＳ２０４〜Ｓ２０９を付して、その動作説明を省略する。図１２は、携帯電話機４００において実行される情報抽出・表示処理を示すフローチャートである。
【００９６】
図１２において、携帯電話機４００の制御部４０１は、カメラ起動指示信号が入力されると（ステップＳ５０１：ＹＥＳ）、記憶部４０５に記憶されたカメラアプリケーションプログラムを読み出してカメラアプリを立ち上げて、カメラ部４０３による撮影を可能とする（ステップＳ５０２）。
【００９７】
そして、ユーザによる入力部４０２における所定の操作によりテレビ受像器３００の番組映像が撮影されると、カメラ部４０２は、合成映像を撮影して合成映像撮影データを制御部４０１に出力する（ステップＳ５０３）。制御部４０１は、入力された合成映像データをメールに添付し、携帯通信部４０６から携帯電話網６００及びインターネット５００を介して管理サーバ２００に送信する（ステップＳ５０４）。
【００９８】
ここで、図１１のステップＳ４０１以降の説明に移る。ステップＳ４０１において、管理サーバ２００の制御部２０１は、ＩＰ通信部２０４による添付メールの受信の有無を判別し、添付メールを受信すると（ステップＳ４０１：ＹＥＳ）、当該メールに添付された画像データから時間情報が抽出可能か否かを判別する（ステップＳ４０２）。
【００９９】
以後管理サーバ２００では、上記実施の形態１において図９のステップＳ２０４〜Ｓ２０９で説明した処理を実行して、時間情報に対応する応答情報を携帯電話機４００にメールにより返信する。
【０１００】
また、メールに添付された画像データから時間情報が抽出できない場合（ステップＳ４０２：ＮＯ）、制御部２０１は、時間情報取得失敗メールをＩＰ通信部２０４からインターネット５００及び携帯電話網６００を介して携帯電話機４００に送信して（ステップＳ４０３）、本処理を終了する。
【０１０１】
ここで、再び、図１２のステップＳ５０５に戻る。ステップＳ５０５において、携帯電話機４００の制御部４０１は、携帯通信部４０６による時間情報取得失敗メール受信の有無を判別する。時間情報取得失敗メールを受信した場合（ステップＳ５０５：ＹＥＳ）、そのメールを表示部４０４に表示して（ステップＳ５０８）、本処理を終了する。
【０１０２】
また、時間情報取得失敗メールの受信しない場合（ステップＳ５０５：ＮＯ）、制御部４０１は、応答情報メール受信の有無を判別し（ステップＳ５０６）、応答情報メールを受信すると（ステップＳ５０６：ＹＥＳ）、その応答情報メールの内容を表示部４０４に表示させて（ステップＳ５０７）、本処理を終了する。この表示により、ユーザは、コンテンツ提供サイトのリンク情報を認識し、そのサイトにアクセス操作することにより、視聴したテレビ番組に対応する画像コンテンツ等のインセンティブを取得することが可能になる。
【０１０３】
また、制御部４０１は、応答情報ではなく応答情報無し通知を受信すると（ステップＳ３０６：ＮＯ）、その応答情報無し通知に基づく表示信号を表示部４０４に出力して、応答情報無し通知を表示させて（ステップＳ５０９）、本処理を終了する。
【０１０４】
以上のように、本実施の形態２のコンテンツ配信システムでは、管理サーバと携帯電話機の間でメールを利用して、テレビ番組に対応するコンテンツ配信サービスを実現することを可能にしている。
【０１０５】
したがって、本実施の形態２によるメールを利用したコンテンツ配信サービスを提供することにより、管理サーバ２００においてコンテンツを蓄積するための負担を軽減することができ、更にシステム負担を軽減することが可能になる。
【０１０６】
なお、上記実施の形態１、２では、制作した番組の元映像に時間情報を埋め込む技術として、動画像電子透かし技術を利用する例を説明したが、その他の技術を用いるようにしても良い。例えば、二次元コードを利用して時間情報を所定間隔で切り替えて、カメラ付き携帯電話ユーザの視聴タイミングを取得するようにしても良い。
【０１０７】
また、番組映像の一部に任意の文字等を表示し、その表示を所定間隔で切り替えて、カメラ付き携帯電話ユーザの視聴タイミングを取得するようにしても良い。この場合、撮影された文字情報を管理サーバで形状認識して時間情報を抽出するようにしても良い。
【０１０８】
また、カメラ付き携帯電話機で番組映像を撮影した際に付加されるタ撮影日時情報を利用して視聴タイミングを取得するようにしても良い。
【産業上の利用可能性】
【０１０９】
本発明は、カメラ機能付き携帯電話機ユーザがテレビ番組を視聴することによりインセンティブを提供し、テレビ番組の視聴率向上に寄与し、携帯電話機ユーザとテレビ放送局の双方にとって有益かつ魅力的なビジネスモデルの展開を可能とし、かつシステム負担も軽減するコンテンツ配信方法を提供できる点でコンテンツ配信システムに有用である。
【図面の簡単な説明】
【０１１０】
【図１】本発明の実施の形態１に係るコンテンツ配信システムのシステム構成を示す図
【図２】本実施の形態１に係るテレビ局装置の構成を示すブロック図
【図３】本実施の形態１に係る管理サーバの構成を示すブロック図
【図４】本実施の形態１に係るデータベースの一例を示す図
【図５】本実施の形態１に係るテレビ受像機の構成を示すブロック図
【図６】本実施の形態１に係る携帯電話機の構成を示すブロック図
【図７】本実施の形態１に係るコンテンツ配信システムにおける動作概要を示す図
【図８】本実施の形態１に係るテレビ局装置において実行される情報合成処理を示すフローチャート
【図９】本実施の形態１に係る管理サーバにおいて実行される応答処理を示すフローチャート
【図１０】本実施の形態１に係る携帯電話機において実行される情報抽出・表示処理を示すフローチャート
【図１１】本発明の実施の形態２に係る管理サーバにおいて実行される応答処理を示すフローチャート
【図１２】本実施の形態２に係る携帯電話機において実行される情報抽出・表示処理を示すフローチャート
【符号の説明】
【０１１１】
１０  コンテンツ配信システム
１００  テレビ局装置
１０１、２０１、３０１、４０１  制御部
１０２  番組制作部
１０３  映像合成部
１０４  時間情報生成部
１０５  応答情報作成部
１０６  テレビ放送部
１０７  サーバＩ／Ｆ部
２００  管理サーバ
２０２  データベース管理部
２０３  データベース格納部
２０３ａ  データベース
２０４  ＩＰ通信部
３００  テレビ受像機
３０２  映像再生部
３０３、４０４  表示部
３０４  テレビ放送受信部
４００  携帯電話機
４０２  入力部
４０３  カメラ部
４０４  表示部
４０５  記憶部
４０６  携帯通信部
４０７  情報抽出部
４０８  コンテンツ再生部
【図１】
2007150382.tif 000003
【図２】
2007150382.tif 000004
【図３】
2007150382.tif 000005
【図４】
2007150382.tif 000006
【図５】
2007150382.tif 000007
【図６】
2007150382.tif 000008
【図７】
2007150382.tif 000009
【図８】
2007150382.tif 000010
【図９】
2007150382.tif 000011
【図１０】
2007150382.tif 000012
【図１１】
2007150382.tif 000013
【図１２】
2007150382.tif 000014